(57)【要約】【課題】巻上げ式のロールスクリーン装置に対して、日除け、調光、目隠し等のブラインド機能を付加してなるスクリーン装置を、構造簡単で製造容易なものとして提供する。【解決手段】巻取軸３で上部に巻き取られるネット状の第１のスクリーン１１と、それと共に重ねて巻き取られる調光用の第２のスクリーン１２であって、複数段に分割された各分割片１２ａの上端が第１のスクリーンに取り付けられた上記第２のスクリーンとを備え、更に、巻取軸に一端が固定されて第１のスクリーンと第２のスクリーンとの間に沿って垂下されて、各分割片の下部に取り付けられたコード１５を備える。第１のスクリーンは、その左右側端部を側枠４のガイドレール６により摺動自在にガイドさせる。コード１５は、巻取軸の巻き戻し回転により第１のボトムバー１６が最下端まで達した後の更なる回転により、巻取軸に逆巻きで巻き上げられる。【選択図】図４
2016217074.tif 000002
【特許請求の範囲】
【請求項１】
巻取軸により上部に巻き取られるネット状の第１のスクリーンと、上記巻取軸に対して該第１のスクリーンと共に重ねて巻き取られる調光用の第２のスクリーンであって、上下方向に複数段の分割片に分割され、各分割片の上端がそれぞれ上記第１のスクリーンに対してその分割位置において取り付けられている上記第２のスクリーンとからなるスクリーン組立体、及び、上記巻取軸に巻取り可能に一端が固定されて上記第１のスクリーンにおける第２のスクリーン取付面側に沿って垂下され、各分割片の下部にそれぞれ取り付けられているコードを備え、
上記第１のスクリーンは、その左右側端部に沿って取り付けた係合部片をスクリーン枠の側枠におけるガイドレールのスリット内に係合させて、該ガイドレールにより上記係合部片が摺動自在にガイドされるものとし、
上記コードは、上記巻取軸の巻き戻し回転により第１のスクリーンが巻取軸から巻き戻されて、該第１のスクリーンの下端に取り付けた第１のボトムバーが最下端まで達した後の更なる巻取軸の回転により、巻取軸に逆巻きで巻き上げられるような寸法関係において、該巻取軸に取り付けられている、
ことを特徴とするスクリーン装置。
【請求項２】
上記第２のスクリーンにおける各分割片の下端に該下端に直線性を保持させる補強部を設け、少なくとも各補強部の両端部分において巻取軸から垂下した上記コードが連結されていることを特徴とする請求項１に記載のスクリーン装置。
【請求項３】
上記補強部に、第２のスクリーンにおける分割片が不必要に撓むのを抑止する重量を付与したことを特徴とする請求項２に記載のスクリーン装置。
【請求項４】
第１のスクリーンの幅方向に間隔を置いて複数の上記コードを配設していることを特徴とする請求項１に記載のスクリーン装置。
【請求項５】
上記第２のスクリーンにおける最下端の分割片の下端、或いは、巻取軸に一端が固定されたコードの下端に、第２のスクリーンの各分割片が撓むのを抑止する重量を付与するための第２のボトムバーを設けたことを特徴とする請求項１，２または４に記載のスクリーン装置。
【発明の詳細な説明】
【技術分野】
【０００１】
本発明は、巻上げ式のロールスクリーン装置に対して、日除け、調光、目隠し、防虫、或いは通風調整等の機能を付加したスクリーン装置に関するものである。
【背景技術】
【０００２】
従来から、防虫機能を備えた網戸等の巻上げ式のロールスクリーン装置に対して、日除け、調光、目隠し等のブラインド機能を付加したものは、例えば、特許文献１及び２等により既に知られている。
特に、該特許文献１に開示されているスクリーン装置においては、日除け、調光、目隠し等のブラインド機能を付与するために、巻取軸により上部に巻き取られるスクリーンに対して多数の調光用の帯状部材を等間隔で起倒自在に取り付け、それらの帯状部材の遊端側を可撓連結材により等間隔で連結してスクリーン組立体を構成している。また、上記特許文献２に開示の光制御窓遮蔽体においては、互いに平行な第１及び第２のシート材料の間に等間隔で多数の比較的不透明な帯状材料の両端が接着されている。
【０００３】
上記特許文献１に開示されているようなスクリーン組立体、或いは特許文献２に開示されているような窓遮蔽体では、それぞれ両端がスクリーンやシート材料等により保持された帯状部材或いは帯状材料を備えているので、それらの使用者が比較的安定的に所望のブラインド機能を満喫できるものであるが、該帯状部材を付設したスクリーン組立体、或いは上記窓遮蔽体はその構成が比較的複雑であり、即ち、それらはいずれも３種類の部材を順次接合することにより構成されていて、それらの接合が３次元的に行われているために、単純な工程では得ることができず、例えば、特許文献２の窓遮蔽体では、同文献中において詳細に説明されているような非常に複雑な装置によって製造されるものである。
【０００４】
そのため、上述したスクリーン組立体或いは窓遮蔽体のような構成を備えたものでは、それ自体の製造コストが嵩むだけでなく、ブラインド機能の調整機構をも付設する必要があることから、より簡単な構成で製造コストが廉価な製品、特に、建物開口部に張設するスクリーンに対して多くの部材を複雑に取り付けることなく、平面的なスクリーンに対して他の必要なシート状部材等を重ねて縫着、接着、溶着するなどの簡易な２次元的接合を主体として構成可能にすることが望まれている。
【先行技術文献】
【特許文献】
【０００５】
【特許文献１】特開２０００−１１０４６２号公報
【特許文献２】特開平６−８８４６９号公報
【発明の概要】
【発明が解決しようとする課題】
【０００６】
本発明の技術的課題は、巻上げ式のロールスクリーン装置に対して、日除け、調光、目隠し等のブラインド機能を付加してなるスクリーン装置を、構造が簡単で製造が容易なものとして提供することにある。
【課題を解決するための手段】
【０００７】
上記課題を解決するため、本発明によれば、巻取軸により上部に巻き取られるネット状の第１のスクリーンと、上記巻取軸に対して該第１のスクリーンと共に重ねて巻き取られる調光用の第２のスクリーンであって、上下方向に複数段の分割片に分割され、各分割片の上端がそれぞれ上記第１のスクリーンに対してその分割位置において取り付けられている上記第２のスクリーンとからなるスクリーン組立体、及び、上記巻取軸に巻取り可能に一端が固定されて上記第１のスクリーンにおける第２のスクリーン取付面側に沿って垂下され、各分割片の下部にそれぞれ取り付けられているコードを備え、上記第１のスクリーンは、その左右側端部に沿って取り付けた係合部片をスクリーン枠の側枠におけるガイドレールのスリット内に係合させて、該ガイドレールにより上記係合部片が摺動自在にガイドされるものとし、上記コードは、上記巻取軸の巻き戻し回転により第１のスクリーンが巻取軸から巻き戻されて、該第１のスクリーンの下端に取り付けた第１のボトムバーが最下端まで達した後の更なる巻取軸の回転により、巻取軸に逆巻きで巻き上げられるような寸法関係において、該巻取軸に取り付けられていることを特徴とするスクリーン装置が提供される。
【０００８】
本発明に係るスクリーン装置の好ましい実施形態においては、上記第２のスクリーンにおける各分割片の下端に、該下端に直線性を保持させる補強部を設け、少なくとも各補強部の両端部分において巻取軸から垂下した上記コードが連結されたものとし、或いは、第１のスクリーンの幅方向に間隔を置いて複数の上記コードを配設したものとすることができる。
【０００９】
上記第２のスクリーンにおける各分割片の下端に補強部を設ける場合には、該補強部に分割片が風等で撓むのを抑止する重量を付与するのが望ましく、また、上記第２のスクリーンにおける最下端の分割片の下端、或いは、巻取軸に一端が固定されたコードの下端には、第２のスクリーンの各分割片が風等により撓むのを抑止する重量を付与するための第２のボトムバーを設けることが望まれる。
【００１０】
上記構成を有するスクリーン装置は、巻取軸に対して第１のスクリーンとそれに重ねて巻き取られている調光用の第２のスクリーンとを、巻取軸の巻き戻し回転により第１のボトムバーをほぼ最下端に達するところまで降下させると、ガイドレールにより側端をガイドされて巻き戻された第１のスクリーンに対して、第２のスクリーンが全面的に重ねられた状態で建物開口部に張設され、そのため、室内外間において光が最も透過し難い状態になる。
【００１１】
その状態から更に巻取軸を巻き戻し回転させると、第１のスクリーンとそれに重ねられている第２のスクリーンとは巻取軸から巻き戻されるが、第１のボトムバーが最下端まで達した後には、第１のスクリーンに対して第１のボトムバーの重量が作用しなくなるので、第１及び第２のスクリーンが下降しなくなり、一方、巻取軸に一端が固定されると共に第２のスクリーンの各分割片の下部にそれぞれ取り付けられているコードは、上記第１のボトムバーが最下端まで達した後の巻取軸の巻き戻し回転により、該巻取軸に逆巻きで巻き上げられ、各分割片の下部を第１のスクリーンに沿って引き上げることになり、そのため、複数段の各分割片は上下端が上向きのドレープ状になり、巻取軸への上記コードの逆巻の程度によってドレープ状の第２のスクリーンが第１のスクリーンと重なる面積が変わるため、該コードの逆巻の程度により室内外間において光が透過する量が変わることになる。
【発明の効果】
【００１２】
以上に詳述した本発明のスクリーン装置によれば、巻上げ式のロールスクリーン装置に対して、日除け、調光、目隠し等のブラインド機能を付加してなるスクリーン装置を、構造が簡単で製造が容易なものとして提供することができる。
【図面の簡単な説明】
【００１３】
【図１】本発明に係るスクリーン装置における第１及び第２のスクリーンが巻き戻しにより下降している状態の縦断側面図である。
【図２】同スクリーンにおける下端の第１のボトムバーが最下端まで降下した状態の縦断側面図である。
【図３】同スクリーンにおける第１のボトムバーが最下端まで降下した後に更に巻取軸を巻き戻し回転させた状態の縦断側面図である。
【図４】図３の巻取軸を巻き戻し限度まで巻き戻した状態の縦断側面図である。
【図５】本発明に係るスクリーン装置の第１及び第２のスクリーンが図２の状態にあるときの正面図である。
【図６】図５におけるＡ−Ａ位置での断面図である。
【図７】本発明に係るスクリーン装置の第１及び第２のスクリーンが図４の状態にあるときの正面図である。
【図８】本発明に係るスクリーン装置の第１及び第２のスクリーンが図３の状態にあるときの要部拡大斜視図である。
【図９】第２のスクリーンに第２のボトムバーを取り付けた実施例を示す上記図４に対応する状態の模式的縦断側面図である。
【発明を実施するための形態】
【００１４】
図面は、本発明に係るスクリーン装置の実施の一例を示し、このスクリーン装置は、既知の巻上げ式のロールスクリーン装置におけるスクリーンに代えて、以下に述べる特殊なスクリーン組立体１０を用いることにより、日除け、調光、目隠し、或いは通風調整等の機能を簡単な構成により付加したものである。そのため、図示したスクリーン装置の実施例では、既知のスクリーン装置の場合と同様な構成の巻取軸３を正逆の方向に回転自在に支持する巻取りボックス２、及び、該巻取りボックス２の両端から下方に伸びて、上記スクリーン組立体１０の左右側端の昇降をガイドする一対の側枠４を備えることにより、該スクリーン組立体１０を張設するためのスクリーン枠１を形成している。上記巻取軸３は、操作用コード５等により図示しないスプロケットを介して回転駆動されるものであるが、他の駆動機構を採用することもできる。
【００１５】
本発明に係るスクリーン装置において、上記スクリーン枠１に対して上記スクリーン組立体１０を展張する動作の概略は、図１〜図４において示している。具体的に、それらの図には、防虫等に供することができるネット状の第１のスクリーン１１と、それに重ねて巻取軸３に巻き取られる調光用の第２のスクリーン１２とからなる上記スクリーン組立体１０が、巻取軸３から巻き戻されて、下端の第１のボトムバー１６が最下端まで降下した後に、更に巻取軸３を巻き戻し回転させて、該巻取軸３を巻き戻し限度付近まで巻き戻すまでの状態を順次示している。
【００１６】
上記スクリーン組立体１０の構成について更に詳細に説明すると、該スクリーン組立体１０は、図において明らかなように、上記巻取軸３に一端が固定されて巻き取られるネット状の第１のスクリーン１１と調光用の第２のスクリーン１２とにより構成される。上記第１のスクリーン１１は、図６及び図８に示すように、その左右側端部に沿って取り付けた係合部片１１ａをスクリーン枠１の側枠４内におけるガイドレール６のスリット内に係合させて、該ガイドレール６により上記係合部片１１ａが摺動自在にガイドされるようにしたものである。なお、上記第１のスクリーン１１の側端部に取り付ける係合部片１１ａとして、布類の接合において多用されているスライドファスナーの相互に接合される半体、或いはそれに相当するような部材を用いるのが望ましいが、それに限るものではない。
【００１７】
上記第１のスクリーン１１に重ねて巻き取られる第２のスクリーン１２は、上記ガイドレール６にガイドさせることなく、そのため、第１のスクリーン１１よりも幅が狭いものとし、上下方向においては、少なくとも、スクリーン枠１内の全体を覆うものとして、第１のボトムバー１６が最下端に達したときにスクリーン枠１内に張設されている範囲内を、上下方向に複数段乃至多段の分割片１２ａに分割し、それらの各分割片１２ａの上端の接合部１３を、それぞれ、上記第１のスクリーン１１に対してその分割位置において、縫着、接着、溶着等により取り付け、該第２のスクリーン１２の下部は上記第１のスクリーン１１から吊下られる状態に形成している。該第２のスクリーン自体は、日除け、調光、目隠し、或いは通風調整等のために、可撓性のある布その他のシート状材料により形成されるものであり、比較的透光性のないものや、遮光性を適宜調整したもの、模様や図柄によって遮光性を調整したもの等を採用することもできる。
【００１８】
第１のスクリーン１１に複数段乃至多段に取り付けた第２のスクリーン１２の各分割片１２ａを、図３、図４及び図８に示すような上下端が上向きのドレープ状にするため、上記巻取軸３の周面には、それに一端が固定されて第１のスクリーン１１における第２のスクリーン１２の取付面側に沿って垂下されるコード１５を設け、図８から分かるように、該コード１５を各分割片１２ａの下端の後述する補強部１２ｂにそれぞれ取り付けている。また、該コード１５は、常に第１のスクリーン１１における第２のスクリーン１２の取付面側に沿って垂下させるため、第１のスクリーン１１に対する第２のスクリーン１２の分割片１２ａの接合部１３において、第２のスクリーン１２の一部に若干の非接合部１３ａを設け、或いはその近辺において第２のスクリーン１２に貫通孔を設けて、そこに該コード１５を摺動自在に挿通する必要がある。上記コード１５自体は、図８に示すような線状のものとすることもできるが、巻取軸３への巻取り厚さの抑制等を考慮して扁平なテープ状のものなどにすることもできる。
【００１９】
上記コード１５の巻取軸３に対する取付位置は、巻取軸３の巻き戻し回転により第１のスクリーン１１が巻き戻されて、該第１のスクリーン１１の下端に取り付けた第１のボトムバー１６が図２に示す最下端まで達した後、更なる巻取軸３の回転により、図３及び図４に示すように、コード１５が巻取軸３に逆巻きで巻き上げられるような寸法関係において、該巻取軸３に取り付けられている。
【００２０】
なお、このコード１５の巻き上げによって、該コードには引張力が作用し、図４に示すような状態では、最上端の分割片１２ａの上端の第１のスクリーン１１に対する接合部１３に、巻取軸３側への引張力が集中的に作用する可能性がある。このような引張力の作用を抑制するためには、巻取りボックス２の導出口２ａに、巻取軸３から巻き戻されるコード１５を第１のスクリーン１１の張設位置に近いところまで導くガイドを設ければよい。該コード１５の最下端は、最下位の分割片１２ａの下端に取り付けておくことができる。
【００２１】
また、上記第１のスクリーン１１の下端には上記第１のボトムバー１６を取り付けているが、該第１のボトムバー１６は、必要に応じて、その両端を上記側枠４に縦設したガイド溝に嵌挿してその上下移動をガイドさせることができる。上記第１のボトムバー１６には、巻取軸３から吊下される第１のスクリーン１１を緊張させるに必要な重量を持たせるが、それが不足する場合には、第１のボトムバー１６の内部に重錘を収容すればよい。
【００２２】
更に、上記第１のボトムバー１６が図２に示すように最下端に達した後に巻取軸３を更に巻き戻し回転させると、巻取軸３においてスクリーン組立体１０が更に巻き戻され、それが巻取りボックス２の導出口２ａから弛んだ状態で垂れ下がる可能性があるが、その弛みを除去するためには、巻取りボックス２からの第１のスクリーン１１の導出口２ａに、モヘア等のスクリーン組立体１０の降下に抵抗を付与する部材を配設すればよく、これによって、第１のボトムバー１６が最下端に達することなく、該第１のボトムバー１６の重量が第１のスクリーン１１の下端に作用している間は、第１のボトムバー１６の重量で上記導出口２ａから第１のスクリーン１１は導出されるが、第１のボトムバー１６が最下端に達して第１のスクリーンの下端に第１のボトムバー１６の重量が作用しなくなったときには、第１のスクリーンの導出抑制に必要な抵抗を付与し、図３及び図４に示すように、スクリーン組立体１０或いは第１のスクリーン１１の弛み１８を巻取りボックス２内に留めることができる。
【００２３】
上記第２のスクリーン１２における分割片１２ａは、その下端を纏るとか、該下端に芯材を巻き込むなどの手段により、直線性を保持させる補強部１２ｂを設け、少なくとも各補強部１２ｂの両端部分において巻取軸３から垂下した上記コード１５が連結されたものとし、或いは、第１のスクリーン１１の幅方向に間隔を置いて複数の上記コード１５を配設したものとするのが望ましい。
【００２４】
上記構成を有するスクリーン装置においては、巻取軸３に対して第１のスクリーン１１とそれに重ねて巻き取られている調光用の第２のスクリーン１２とを、巻取軸３の巻き戻し回転により第１のボトムバー１６がほぼ最下端に達するところまで降下させると、図１及び図２に示すように、ガイドレール６により側端をガイドされて巻き戻された第１のスクリーン１１に対して第２のスクリーン１２が全面的に重ねられた状態で建物開口部に張設され、そのため、室内外間において光が最も透過し難い状態になる。
【００２５】
その状態から更に巻取軸３を巻き戻し回転させると、図３に示すように第１のスクリーン１１とそれに重ねられている第２のスクリーン１２とは巻取軸３から巻き戻されるが、第１のボトムバー１６が最下端まで達した後には、第１のスクリーン１１に対して第１のボトムバー１６の重量が作用しなくなるので、第１及び第２のスクリーン１１，１２が下降しなくなり、一方、巻取軸３に一端が固定されると共に、第２のスクリーン１２の各分割片１２ａの下部にそれぞれ取り付けられているコード１５は、巻取軸３の巻き戻し回転により該巻取軸３に逆巻きで巻き上げられ、各分割片１２ａの下部を第１のスクリーン１１に沿って引き上げることになり、そのため、複数段の各分割片１２ａは上下端が上向きのドレープ状になり、巻取軸３への上記コード１５の逆巻の程度によってドレープ状の第２のスクリーン１２が第１のスクリーン１１と重なる面積が変わるため、該コード１５の逆巻の程度により室内外間において光が透過する量が変わることになる。
【００２６】
このように、上記スクリーン装置によれば、既知の巻上げ式のロールスクリーン装置におけるスクリーンに代えて、ネット状の第１のスクリーン１１と、それに調光用の第２のスクリーン１２の分割片１２ａとを重ねて取り付けただけの簡易な構成の上記スクリーン組立体１０を用い、しかも、第２のスクリーン１２をドレープ状に変形させる手段として、格別の操作部材を備えることなく、巻取軸に一端を連結したコードを上記各分割片１２ａの下部に連結したに過ぎないので、簡単な装置により安価に製造することができる。
【００２７】
図９は、上述した実施例の第２のスクリーン１２における最下端の分割片１２ａの下端に、第２のボトムバー２０を取り付けた実施例を示すものであり、上記図４に対応する状態を模式的な縦断側面図によって示している。なお、この図９に示す実施例では、前述の実施例と上記第２のボトムバー２０を取り付けた点のみにおいて構成が相違するため、図９において、その他の主要な構成要素については図４の場合と同じ符号を付し、それらについての説明は省略する。
【００２８】
前記図１〜図８の実施例に係るスクリーン装置では、その設置環境によって、巻取軸３の巻き戻し回転により各分割片１２ａがドレープ状になる際、或いは、巻取軸３の巻取り回転により第２のスクリーン１２が平面的な調光状態に戻る際に、該第２のスクリーン１２を構成する分割片１２ａの形態が風等の影響を受けて見苦しく変形したり、平面的な調光状態へのスムースな復帰を行わなくなる可能性もないとは言えないが、第２のスクリーン１２における最下端の分割片１２ａの下端に、各分割片１２ａが風等で撓むのを抑止する重量を付与した上記第２のボトムバー２０を取り付けておけば、そのような問題も解決することができる。
【００２９】
なお、上記第２のスクリーン１２における最下端の分割片１２ａに第２のボトムバー２０を取り付ける代わりに、最下端の分割片１２ａが固定されたコード１５の下端に該第２のボトムバーを取り付けることもできる。更に、上記第２のスクリーン１２における各分割片１２ａの下端に補強部１２ｂを設ける場合には、該補強部１２ｂに、上記分割片１２ａが不必要に撓むのを抑止する重量を付与しておくことにより、同様の効果を期待することができる。
【符号の説明】
【００３０】
１      スクリーン枠
３      巻取軸
４      側枠
６      ガイドレール
１０      スクリーン組立体
１１      第１のスクリーン
１１ａ    係合部片
１２      第２のスクリーン
１２ａ    分割片
１５      コード
１６      第１のボトムバー
【図１】
2016217074.tif 000003
【図２】
2016217074.tif 000004
【図３】
2016217074.tif 000005
【図４】
2016217074.tif 000006
【図５】
2016217074.tif 000007
【図６】
2016217074.tif 000008
【図７】
2016217074.tif 000009
【図８】
2016217074.tif 000010
【図９】
2016217074.tif 000011